(57)【特許請求の範囲】
【請求項１】
時刻を表示する指針を駆動する指針駆動機構と、
アラーム時刻を表示する目安針を駆動する目安針駆動機構と、
前記アラーム時刻をデジタル表示する表示装置と、
操作部と、
報知手段と、
時刻情報に基づいて前記指針駆動機構を駆動制御し、前記操作部から入力されたアラーム時刻情報に基づいて前記目安針駆動機構と前記表示装置をそれぞれ駆動制御し、時刻とアラーム時刻との一致を検出して前記報知手段に報知させる制御手段と、を有し、
アラーム時刻をセットする場合には、前記操作部から入力されたアラーム時刻情報に基づいて前記表示装置にアラーム時刻がデジタル表示されると同時に、前記目安針が前記目安針駆動機構によって駆動されてアラーム時刻を指し示すことを特徴とする目安指針付高精度目覚し時計。
【請求項２】
時刻を表示する指針を駆動する指針駆動機構とアラーム時刻を表示する目安針を駆動する目安針駆動機構と前記指針駆動機構を時刻情報に基づいて駆動制御すると共に前記目安針駆動機構を駆動制御が可能な第１の制御手段とを備えた時計ユニットと、
アラーム時刻をデジタル表示する表示装置と操作部と報知手段と前記操作部の操作により入力されたアラーム時刻情報に基づいて前記表示装置を駆動制御すると共に前記第１の制御手段にアラーム時刻情報を供給し該アラーム時刻情報に基づいて前記目安針駆動機構を駆動制御させ且つ時刻とアラーム時刻の一致を検出して前記報知手段に報知させる第２の制御手段とを備えた操作ユニットと、を有し、
アラーム時刻をセットする場合には、前記操作部から入力されたアラーム時刻情報に基づいて前記表示装置にアラーム時刻がデジタル表示されると同時に、前記目安針が前記目安針駆動機構によって駆動されてアラーム時刻を指し示すことを特徴とする目安針付高精度目覚し時計。
【請求項３】
時刻を表示する指針と、
該指針を駆動する指針駆動機構と、
時刻を計時する計時手段と、
該計時手段からの時刻情報に基づいて前記指針駆動機構の動作を制御する指針駆動制御手段と、
操作部と、
該操作部の操作によりアラーム時刻を設定記憶するアラーム時刻設定手段と、
前記計時手段が計時する時刻と前記アラーム時刻設定手段が記憶するアラーム時刻の一致を検出する一致検出手段と、
該一致検出手段が一致を検出すると報知を行う報知手段と、
アラーム時刻を表示する目安針と、
該目安針を駆動する目安針駆動機構と、
前記アラーム時刻設定手段に設定記憶されるアラーム時刻情報に基づいて前記目安針駆動機構の動作を制御する目安針駆動制御手段と、
アラーム時刻をデジタル表示する表示装置と、
前記アラーム時刻設定手段に設定記憶されるアラーム時刻情報に基づいて前記表示装置を駆動制御する表示駆動制御手段と、を有し、
アラーム時刻をセットする場合には、前記操作部から入力されたアラーム時刻情報に基づいて前記表示装置にアラーム時刻がデジタル表示されると同時に、前記目安針が前記目安針駆動機構によって駆動されてアラーム時刻を指し示すことを特徴とする目安針付高精度目覚し時計。
【請求項４】
前記指針駆動機構は、時針及び分針を駆動するモータと、秒針を駆動するモータとを有することを特徴とする請求項１乃至３のいずれか記載の目安指針付高精度目覚し時計。
【請求項５】
前記アラーム時刻の設定範囲は、その設定時から２４時間であることを特徴とする請求項１乃至４のいずれか記載の目安針付高精度目覚し時計。
【発明の詳細な説明】
【０００１】
【発明の属する技術分野】
本発明は目覚し時計に関するものであり、特に、目安針によるアナログ表示とデジタル表示の両方を見ながら正確にアラーム時刻をセットすることができるものに関する。
【０００２】
【従来の技術】
一般的な目覚し時計においては、時刻を常時する指針の他に、アラーム時刻を表示する目安針を有し、この目安針に連動する接片と時計輪列に連動する接片が接触することによりアラーム時刻の到来を検出し、アラーム音を発生させるものであった。
【０００３】
上記のように輪列の動作からアラーム時刻の到来を検出するものにあっては、設定したアラーム時刻に対し実際にアラーム報知が行われるのに±５分程度の誤差が生じることがあった。このような誤差をなくすため、電子回路を用いて現在時刻の記憶や一致検出を行うことでアラーム報知する時計が商品化されている。
【０００４】
このように電気的にアラーム時刻を設定・記憶し、現在時刻とアラーム時刻との一致検出を行うものにあっては、アラーム報知を行う時刻に誤差が生じないため、アラーム時刻の設定を正確且つ微細に行えば、使用者が望む時刻ちょうどにアラーム報知することができる。このように、正確且つ微細にアラーム時刻を設定するため、従来この種の時計では、目安針を移動させる不確かなアラーム時刻の設定ではなく、アラーム時刻をデジタル表示する表示装置を設け、デジタル表示されるアラーム時計を見ながらアラーム時刻設定を行っていた。
【０００５】
【発明が解決しようとする課題】
しかしながら、上記のようにデジタル表示されるアラーム時刻を見ながらアラーム時刻設定を行う時計では、一般的に現在時刻表示とアラーム時刻表示とをスイッチ操作で切替えることが必要であり、操作が煩わしいという課題があった。
【０００６】
また、アラーム時刻を正時等におおよそ合わせる場合、デジタル表示では表示が細かすぎてかえって手間取ることもあった。このような場合には、目安針を使った時計の方がアラーム時刻設定が容易なこともあり、実用新案登録第２５２７９９９号公報に記載されているように、電気的に設定されるアラーム時刻に基づいて目安針用モータを駆動して目安針を移動させて、アラーム時刻を目安針で正確に表示する時計が提案されている。しかし、このような目安針は、あくまでおおよそのアラーム時刻を表示するものであるため、１分単位（あるいは１０秒、１秒単位）でアラーム時刻を表示することは困難であり、正確なアラーム時刻の設定・表示にはデジタル表示の方が優れていた。
【０００７】
本発明は、上記従来技術の課題に鑑みなされたもので、極めて正確な時刻にアラーム報知を行うと共に、設定時刻の確認が容易で、しかもアラーム時刻設定を簡単且つ微細に行うことができる目安針付高精度目覚し時計を提供するものである。
【０００８】
【課題を解決するための手段】
本発明の目安針付高精度目覚し時計は、時刻を表示する指針を駆動する指針駆動機構と、アラーム時刻を表示する目安針を駆動する目安針駆動機構と、前記アラーム時刻をデジタル表示する表示装置と、操作部と、報知手段と、時刻情報に基づいて前記指針駆動機構を駆動制御し、前記操作部から入力されたアラーム時刻情報に基づいて前記目安針駆動機構と前記表示装置をそれぞれ駆動制御し、時刻とアラーム時刻との一致を検出して前記報知手段に報知させる制御手段と、を有し、アラーム時刻をセットする場合には、前記操作部から入力されたアラーム時刻情報に基づいて前記表示装置にアラーム時刻がデジタル表示されると同時に、前記目安針が前記目安針駆動機構によって駆動されてアラーム時刻を指し示すものである。
【０００９】
また、本発明の目安針付高精度目覚し時計は、時刻を表示する指針を駆動する指針駆動機構とアラーム時刻を表示する目安針を駆動する目安針駆動機構と前記指針駆動機構を時刻情報に基づいて駆動制御すると共に前記目安針駆動機構を駆動制御が可能な第１の制御手段とを備えた時計ユニットと、アラーム時刻をデジタル表示する表示装置と操作部と報知手段と前記操作部の操作により入力されたアラーム時刻情報に基づいて前記表示装置を駆動制御すると共に前記第１の制御手段にアラーム時刻情報を供給し該アラーム時刻情報に基づいて前記目安針駆動機構を駆動制御させ且つ時刻とアラーム時刻の一致を検出して前記報知手段に報知させる第２の制御手段とを備えた操作ユニットと、を有し、アラーム時刻をセットする場合には、前記操作部から入力されたアラーム時刻情報に基づいて前記表示装置にアラーム時刻がデジタル表示されると同時に、前記目安針が前記目安針駆動機構によって駆動されてアラーム時刻を指し示すものである。
【００１０】
更に、本発明の目安針付高精度目覚し時計は、時刻を表示する指針と、該指針を駆動する指針駆動機構と、時刻を計時する計時手段と、該計時手段からの時刻情報に基づいて前記指針駆動機構の動作を制御する指針駆動制御手段と、操作部と、該操作部の操作によりアラーム時刻を設定記憶するアラーム時刻設定手段と、前記計時手段が計時する時刻と前記アラーム時刻設定手段が記憶するアラーム時刻の一致を検出する一致検出手段と、該一致検出手段が一致を検出すると報知を行う報知手段と、アラーム時刻を表示する目安針と、該目安針を駆動する目安針駆動機構と、前記アラーム時刻設定手段に設定記憶されるアラーム時刻情報に基づいて前記目安針駆動機構の動作を制御する目安針駆動制御手段と、アラーム時刻をデジタル表示する表示装置と、前記アラーム時刻設定手段に設定記憶されるアラーム時刻情報に基づいて前記表示装置を駆動制御する表示駆動制御手段と、を有し、アラーム時刻をセットする場合には、前記操作部から入力されたアラーム時刻情報に基づいて前記表示装置にアラーム時刻がデジタル表示されると同時に、前記目安針が前記目安針駆動機構によって駆動されてアラーム時刻を指し示すものである。
【００１１】
また、前記指針駆動機構は、時針及び分針を駆動するモータと、秒針を駆動するモータとを有するものである。
【００１２】
更に、前記アラーム時刻の設定範囲は、その設定時から２４時間とした。
【００１３】
【発明の実施の形態】
本発明の目安針付高精度目覚し時計においては、アラーム時刻をデジタル表示する表示装置とアラーム時刻を表示する目安針の両方を備えており、操作部から入力されたアラーム時刻情報に基づいて表示装置にアラーム時刻がデジタル表示されると同時に、目安針が目安針駆動機構によって駆動されてアラーム時刻を指し示す。
【００１４】
アラーム時刻の設定は、操作部を操作することにより、マイコンＩＣ等からなる制御手段にて設定・記憶され、この制御手段によって表示装置と目安針駆動機構がそれぞれ駆動されてアラーム時刻をデジタル表示及びアナログ表示することになる。
【００１５】
また、本発明においては、指針駆動機構、目安針駆動機構及びそれらを駆動制御する第１の制御手段を備えた時計ユニットと、操作部、報知手段、表示装置及びその入力信号の処理と駆動制御を行う第２の制御手段を備えた操作ユニットとを有しており、一部機能や報知の変更等、基本的な構造や回路に変更がない場合に操作ユニットのみを変更したり交換するだけで対処することが可能な構成となっている。
【００１６】
以下、図面に基づいて本発明の第１実施例を説明する。図１は本発明の一実施例に係る目安針付高精度目覚し時計の機能構成を示す機能説明図、図２はその外観斜視図、図３は内部構成の概要斜視図、図４は図１に示す指針駆動機構と目安針駆動機構の構成を示す平面図、図５は図４の要部断面図である。尚、図５は要部を明確に示すため、図４に示すロータ及び歯車のみにハッチングを付けている。
【００１７】
はじめに図２及び図３に基づいて構成の概要を説明する。本実施例における目覚し時計は、ケース２内に時計ユニット４と操作ユニット６を収めたものとなっている。時計ユニット４には時針８と分針１０と目安針１２を有するアナログ表示部１４が設けられており、操作ユニット６には、液晶表示装置等の表示装置１６からなるデジタル表示部１８とアップ・ダウン・モード切替等の押しボタンスイッチからなる操作部２０が設けられている。この時計ユニット４と操作ユニット６は、それらの各表示部を駆動及び制御するための駆動機構や制御回路を内蔵しており、互いに電気的に接続されている。
【００１８】
操作及び動作の概要は次のようになる。通常の時刻表示は、時計ユニット４が電波による時刻情報を受信することで正確に計時して時針８及び分針１０を駆動して表示する。アラーム時刻をセットする場合には、操作ユニット６の操作部２０を操作し、アラーム時刻を入力する。このときに表示装置１６にアラーム時刻がデジタル表示され、これと同時に時計ユニット４の目安針１２が回転して入力されたアラーム時刻を指し示す。これにより、表示装置１６をみながら細かくアラーム時刻をセットして目安針１２により表示切替操作なしにアラーム時刻を確認したり、目安針１２によりおおまかにアラーム時刻をセットして表示装置１６を見ながら微調整する等、アラーム時刻のセットをより簡単にすることが可能となる。
【００１９】
また本例では、アナログ表示部１４が１２時間周期で時刻を表示するのに対し、アラーム時刻の設定範囲は、その設定時から２４時間としている。つまり、本例の制御手段においては、１２時間以上先のアラーム時刻をセットすることが可能となっている。
【００２０】
例えば、午前７：００にアラーム時刻を設定した場合、目安針１２が示すアラーム時刻は、午前７：００と午後７：００（１９：００）である。但し、報知手段による報知は、午前７：００にのみなされ、午後７：００にはなされない。
【００２１】
このような構成によると、例えば起床した直後に次の朝の目覚しをセットすることもでき、非常に便利である。また、翌日もアラーム時刻が同じであれば、これを改めて入力する必要はない。
【００２２】
次に、各部のより詳細な構成を図１、図４及び図５を用いて説明する。図１において、２２は時計ユニット４と操作ユニット６に設けられているマイコンＩＣや駆動回路等からなる制御手段であり、時計ユニット４側に設けられている第１の制御手段２４と、操作ユニット側に設けられている第２の制御手段２６を有している。
【００２３】
第１の制御手段２４は、現在時刻を計時する計時手段２８と、この計時手段２８が計時する時刻情報に基づいて後述する指針駆動機構を駆動制御する指針駆動制御手段３０と、後述する目安針駆動機構を駆動制御する目安針駆動制御手段３２とを含んでいる。一方、第２の制御手段２６は、操作部２０の操作により入力されたアラーム時刻を設定・記憶すると共にそのアラーム時刻情報を目安針駆動制御手段３２に供給するアラーム時刻設定手段３４と、そのアラーム時刻情報に基づいて表示装置１６を駆動制御する表示駆動制御手段３６と、アラーム時刻設定手段３４からのアラーム時刻情報と計時手段２８からの時刻情報の一致を検出する一致検出手段３８とを含んでいる。
【００２４】
また、時計ユニット４には、指針駆動制御手段３０により駆動制御されて時針８及び分針１０（図３）を駆動する指針駆動機構４０と、目安針駆動制御手段３２により駆動制御されて目安針１２（図３）を駆動する目安針駆動機構４２が設けられている。
【００２５】
上記指針駆動機構４０は、図４及び図５に示すように、第１のステップモータ４４と、そのロータ４６のロータカナ４６ａに噛合する５番車４８と、その５番カナ４８ａに噛合する第１の３番車５０と、その第１の３番カナ５０ａに噛合する分針車５２と、その分針カナ５２ａに噛合する日の裏車５４と、その日の裏カナ５４ａに噛合する時針車５６を含んでいる。
【００２６】
また、目安針駆動機構４２は、第２のステップモータ５８と、そのロータ６０のロータカナ６０ａに噛合する１番車６２と、その１番カナ６２ａに噛合する２番車６４と、その２番カナ６４ａに噛合する第２の３番車６６と、その第２の３番カナ６６ａに噛合する目安車６４を含んでいる。
【００２７】
更に、操作ユニット６には、一致検出手段３８が一致検出すると音を発生させてアラーム報知を行うスピーカ及びその駆動回路等からなる報知手段７０が設けられている。
【００２８】
また、本実施例における時計ユニット４は、時刻情報を含む電波を受信することにより時刻を修正する電波修正を行うものであるため、電波を受信して時刻情報を計時手段２８に供給する受信手段７２を有している。尚、電波修正時計においては、時計始動時等に指針位置を検出し、その位置と受信した時刻情報との比較や計時中の時刻と受信した時刻情報との比較をして指針を駆動するため、指針位置の検出手段や修正制御手段が必要な場合がある。本実施例においては、図５に示すように、時針車５６や分針車５２等に孔５６ｂ，５２ｂを設け、その孔を挟むように設けた光学素子７４と受光素子７６からなる検出手段を設けると共に、修正制御手段を計時手段２８内に設けることで電波修正が可能なものとなっている。
【００２９】
次に、上記構成からなる本実施例の目覚し時計の動作を説明する。通常の時刻表示は、計時手段２８が計時する時刻情報が指針駆動制御手段３０に供給され、指針駆動制御手段３０が指針駆動機構４０を駆動制御することにより行われる。即ち、第1のステップモータ４４が指針駆動制御手段３０からの信号により駆動され、輪列を介して時針車５６と分針車５２が駆動されることにより時針・分針を駆動して時刻を表示している。
【００３０】
一方、アラーム時刻の設定をするために操作部２０を操作すると、操作部２０からの入力信号によりアラーム時刻設定手段３４にアラーム時刻が設定・記憶される。このアラーム時刻設定手段３４に設定・記憶されたアラーム時刻情報は表示駆動制御手段３６に供給され、この表示駆動制御手段３６が表示装置１６を駆動制御してアラーム時刻をデジタル表示する。
【００３１】
このときに、アラーム時刻設定手段３４に設定・記憶されたアラーム時刻情報は目安針駆動制御手段３２にも供給され、この目安針駆動制御手段３２が目安針駆動機構４２を駆動制御して目安針を動かす。即ち、第２のステップモータ５８が目安針駆動制御手段３２からの信号により駆動され、輪列を介して目安車６８を駆動し、これにより目安針が移動して設定されたアラーム時刻を指し示す。
【００３２】
上記のように、アラーム時刻は表示装置１６と目安針１２によりそれぞれデジタル表示とアナログ表示され、微細な設定・調整や大まかな設定・確認の何れも簡単に行うことが可能なものとなっている。
【００３３】
次に、本発明の第２実施例を図６及び図７に基づいて説明する。
【００３４】
本例の指針駆動機構４０は、これらの図に示すように、第３のステップモータ８０と、そのロータ８２のロータカナ８２ａに噛合する第２の５番車８４と、その５番車カナ８４ａに噛合する秒針車８６とを含むものであり、第１のステップモータ４４にて時針８及び秒針１０を駆動するとともに、当該第３のステップモータ８０にてアナログ表示部１４に設けられた秒針（図示は省略）を駆動するものである。秒針車８６には、光学素子７４と受光素子７６に対応する孔８６ｂを設けている。
【００３５】
即ち本例では、第1のステップモータ４４、及び第３のステップモータ８０が指針駆動制御手段３０からの信号により駆動され、輪列を介して時針車５６、分針車５２、及び秒針車８６が駆動されることにより時針・分針・秒針を駆動して時刻を表示している。
【００３６】
尚、その他の構成は、前述した第１実施例と同様であるので、共通する部材には同一の符号を付すとともに、説明は省略する。
【００３７】
上記のように、秒針を設ける場合には、時針８及び分針１０を駆動するモータ４４とは別に、秒針を駆動する他のモータ８０を設けるとよい。つまり、各指針を複数のモータにてそれぞれ駆動することによれば、各指針の初期位置設定や電波修正は効率よく行うことが可能となる。
【００３８】
【発明の効果】
本発明によれば、アラーム時刻を、連動するデジタル表示とアナログ表示の両方で表示することができるので、アラーム時刻の設定をデジタル表示を見ながら微細に行ったり、アナログ表示を見ながら簡単に行うことができる。
【００３９】
また、デジタル表示を行う表示装置に連動する目安針が設けられているので、表示の切替などをすることなくアラームの時刻を確認することができる。
【００４０】
更に、デジタル表示を見ながらアラーム時刻を細かく設定することができ、しかも電波修正時計の場合には計時する現在時刻が極めて正確であるため、非常に制度良くアラーム報知を行うことができる。
【００４１】
更にまた、本発明においては、時計を、指針及び目安針による時刻とアラーム時刻の表示を行う時計ユニットと、アラーム時刻の設定及び一致とデジタル表示を行う操作ユニットに分けているため、アラーム機能の変更や追加時に、時計ユニット側の主要構成に手を加えることなく操作ユニット側のみの変更で対処することが可能であり、バリエーションの展開や機能の変更・追加を容易に行うことができる。
【００４２】
特に、秒針を設ける場合は、時針及び分針を駆動するモータと、秒針を駆動するモータとを有する指針駆動機構を採用するとよい。このような構成によれば、各指針の初期位置設定や電波修正は効率よく行うことができる。
【００４３】
また、本発明において、アラーム時刻の設定範囲を、その設定時から２４時間とすれば、その利便性は一層向上することができる。
【図面の簡単な説明】
【図１】  本発明の第１実施例に係る目安針付高精度目覚し時計の機能構成を示す機能説明図である。
【図２】  図１に示す目安針付高精度目覚し時計の外観斜視図である。
【図３】  図２に示す目安針付高精度目覚し時計の内部構成の概要斜視図である。
【図４】  図１に示す指針駆動機構と目安針駆動機構の構成を示す平面図である。
【図５】  図４に示す指針駆動機構と目安針駆動機構の構成を示す平面図である。
【図６】  本発明の第２実施例に係る指針駆動機構と目安針駆動機構の構成を示す平面図である。
【図７】  本発明の第２実施例に係る指針駆動機構と目安針駆動機構の構成を示す平面図である。
【符号の説明】
２        ケース
３        時計ユニット
６        操作ユニット
８        時針
１０      分針
１２      目安針
１６      表示装置
２２      制御手段
２４      第１の制御手段
２６      第２の制御手段
２８      計時手段
３０      指針駆動制御手段
３２      目安針駆動制御手段
３４      アラーム時刻設定手段
３６      表示駆動手段
３８      位置検出手段
４０      指針駆動機構
４２      目安針駆動機構
７０      報知手段
７２      受信手段
【図１】
0003699646.tif 000002
【図２】
0003699646.tif 000003
【図３】
0003699646.tif 000004
【図４】
0003699646.tif 000005
【図５】
0003699646.tif 000006
【図６】
0003699646.tif 000007
【図７】
0003699646.tif 000008